(57)【要約】  所定のサービスを受けるための利用者情報を保持する携帯端末装置と、該利用者情報を検査する利用者情報検査装置と、を備える利用者判別システムであって、本人以外の者が当該本人の携帯端末装置を所持する場合にその所持者がサービスの提供を受けるのを防止することができるシステム。利用者情報検査装置は、携帯端末装置の所持者が生体をかざすことに応じて生体データを取得し、その生体データをそのまま近傍の携帯端末装置に無線で送信する。携帯端末装置は、その生体データを受信し、予め記憶された生体データと照合し、一致が確認されたときにのみ、予め記憶された利用者情報を利用者情報検査装置に無線で送信する。利用者情報検査装置は、送信された利用者情報に基づいて携帯端末装置の所持者の利用を許可する。
2007116496.tif 000002
【特許請求の範囲】
【請求項１】
所定のサービスを受けるための利用者情報を保持する携帯端末装置と、該利用者情報を検査する利用者情報検査装置と、を備える利用者判別システムであって、該携帯端末装置が、
該携帯端末装置の所有者の生体データを記憶する生体データ記憶手段と、
該所有者に係る利用者情報を記憶する利用者情報記憶手段と、
該利用者情報検査装置から無線で送信される生体データを受信する生体データ受信手段と、
前記生体データ記憶手段に記憶された生体データと前記生体データ受信手段によって受信される生体データとを照合する生体データ照合手段と、
前記生体データ照合手段によって一致が確認されたときにのみ、前記利用者情報記憶手段に記憶された利用者情報を該利用者情報検査装置に無線で送信する利用者情報送信手段と、
を具備し、該利用者情報検査装置が、
該携帯端末装置の所持者が生体をかざすことに応じて生体データを取得する生体データ取得手段と、
前記生体データ取得手段によって取得される生体データを近傍の携帯端末装置に無線で送信する生体データ送信手段と、
該携帯端末装置から無線で送信される利用者情報に基づいて該携帯端末装置の所持者の利用を許可する利用許可手段と、
を具備する利用者判別システム。
【請求項２】
該携帯端末装置が携帯電話機であり、該利用者情報検査装置が鉄道自動改札ゲート機であり、該利用者情報が定期券情報である、請求項１に記載の利用者判別システム。
【請求項３】
所定のサービスを受けるための利用者情報を保持する携帯端末装置であって、
該携帯端末装置の所有者の生体データを記憶する生体データ記憶手段と、
該所有者に係る利用者情報を記憶する利用者情報記憶手段と、
利用者情報検査装置から無線で送信される生体データを受信する生体データ受信手段と、
前記生体データ記憶手段に記憶された生体データと前記生体データ受信手段によって受信される生体データとを照合する生体データ照合手段と、
前記生体データ照合手段によって一致が確認されたときにのみ、前記利用者情報記憶手段に記憶された利用者情報を該利用者情報検査装置に無線で送信する利用者情報送信手段と、
を具備する携帯端末装置。
【請求項４】
該携帯端末装置が携帯電話機であり、該利用者情報検査装置が鉄道自動改札ゲート機であり、該利用者情報が定期券情報である、請求項３に記載の携帯端末装置。
【請求項５】
利用者情報を検査する利用者情報検査装置であって、
携帯端末装置の所持者が生体をかざすことに応じて生体データを取得する生体データ取得手段と、
前記生体データ取得手段によって取得される生体データを近傍の携帯端末装置に無線で送信する生体データ送信手段と、
携帯端末装置から無線で送信される利用者情報に基づいて該携帯端末装置の所持者の利用を許可する利用許可手段と、
を具備する利用者情報検査装置。
【請求項６】
該携帯端末装置が携帯電話機であり、該利用者情報検査装置が鉄道自動改札ゲート機であり、該利用者情報が定期券情報である、請求項５に記載の利用者情報検査装置。
【請求項７】
所定のサービスを受けるための利用者情報を保持する携帯端末装置と、該利用者情報を検査する利用者情報検査装置と、を備える利用者判別システムにおける利用者判別方法であって、
該利用者情報検査装置が、該携帯端末装置の所持者が生体をかざすことに応じて生体データを取得するステップと、
該利用者情報検査装置が、該取得された生体データを近傍の携帯端末装置に無線で送信するステップと、
該携帯端末装置が、該利用者情報検査装置から無線で送信される生体データを受信するステップと、
該携帯端末装置が、予め記憶された生体データと該受信された生体データとを照合するステップと、
該携帯端末装置が、該照合するステップによって一致が確認されたときにのみ、予め記憶された利用者情報を該利用者情報検査装置に無線で送信するステップと、
該利用者情報検査装置が、該携帯端末装置から無線で送信された利用者情報に基づいて該携帯端末装置の所持者の利用を許可するステップと、
を具備する利用者判別方法。
【発明の詳細な説明】
【技術分野】
【０００１】
本発明は、所定のサービスを受けるための利用者情報を保持する携帯端末装置と、該利用者情報を検査する利用者情報検査装置と、を備え、利用者が正当な利用者であるか否かを判別するシステムに関する。
【背景技術】
【０００２】
ＩＣチップを内蔵したカードであるＩＣカードが広く利用されている。近年においては、接触型ＩＣカードに加え、非接触型ＩＣカードも普及しつつある。非接触型ＩＣカードは、リーダ／ライタから発信される電磁波によってＩＣカード側のＩＣチップが動作し、リーダ／ライタとの間でデータ通信を行うＩＣカードであり、鉄道の自動改札ゲート機で利用されている。【０００３】
さらに、非接触ＩＣチップを搭載した携帯電話機も登場してきている。非接触ＩＣチップ搭載携帯電話機は、コンビニエンスストアでのショッピング、自動販売機でのドリンクの購入、イベント会場での入場手続き、等に利用されている。また、最近、定期券情報を記憶した非接触ＩＣチップ搭載携帯電話機が、鉄道の自動改札ゲート機で使用されるようになった。【０００４】
しかしながら、自分の物でない即ち他人の携帯電話機を使用しても、鉄道の自動改札ゲート機を通過することができるという問題がある。その問題を解決するため、指紋情報等の個人生体情報を使用して本人であるか否かの照合を行うシステムも提案されているが、システム本体側に個人生体情報を登録しておく必要があり、個人情報保護の観点から問題がある。【０００５】
なお、本発明に関連する先行技術文献として、下記特許文献１は、指紋検出器及び開閉器を備える指紋照合改札機と、自駅で乗降可能な定期利用者の指紋特徴データを登録する乗降者データベースと、該指紋検出器により検出された指紋特徴データと該乗降者データベースに登録されている指紋特徴データとを照合し一致する指紋特徴データが存在すれば該開閉器にオープン信号を出力する制御手段と、を備える指紋照合改札システムについて開示している。【０００６】
また、下記特許文献２は、第１の個人識別情報及び第２の個人識別情報を格納する携帯端末装置であって、個人情報入力部から入力されたデータと該第１の個人識別情報とを比較して、該携帯端末装置の持ち主であるかを判断し、持ち主であると判断すれば該第２の個人識別情報を読み出し可能とする一方、持ち主でないと判断すれば該第２の個人識別情報を読み出し不可能とする携帯端末装置を開示している。【０００７】
【特許文献１】特開２００１−３０７１４４号公報
【特許文献２】特開２００３−１０１６３９号公報
【発明の開示】
【発明が解決しようとする課題】
【０００８】
本発明は、上述した問題点に鑑みてなされたものであり、その目的は、所定のサービスを受けるための利用者情報を保持する携帯端末装置と、該利用者情報を検査する利用者情報検査装置と、を備える利用者判別システムであって、本人以外の者が当該本人の携帯端末装置を所持する場合にその所持者がサービスの提供を受けるのを防止することができるものを提供することにある。
【課題を解決するための手段】
【０００９】
上記目的を達成するために、本発明によれば、所定のサービスを受けるための利用者情報を保持する携帯端末装置と、該利用者情報を検査する利用者情報検査装置と、を備える利用者判別システムであって、該携帯端末装置が、該携帯端末装置の所有者の生体データを記憶する生体データ記憶手段と、該所有者に係る利用者情報を記憶する利用者情報記憶手段と、該利用者情報検査装置から無線で送信される生体データを受信する生体データ受信手段と、前記生体データ記憶手段に記憶された生体データと前記生体データ受信手段によって受信される生体データとを照合する生体データ照合手段と、前記生体データ照合手段によって一致が確認されたときにのみ、前記利用者情報記憶手段に記憶された利用者情報を該利用者情報検査装置に無線で送信する利用者情報送信手段と、を具備し、該利用者情報検査装置が、該携帯端末装置の所持者が生体をかざすことに応じて生体データを取得する生体データ取得手段と、前記生体データ取得手段によって取得される生体データを近傍の携帯端末装置に無線で送信する生体データ送信手段と、該携帯端末装置から無線で送信される利用者情報に基づいて該携帯端末装置の所持者の利用を許可する利用許可手段と、を具備する利用者判別システムが提供される。【００１０】
一つの好適な態様では、該携帯端末装置が携帯電話機であり、該利用者情報検査装置が鉄道自動改札ゲート機であり、該利用者情報が定期券情報である。【００１１】
また、本発明によれば、所定のサービスを受けるための利用者情報を保持する携帯端末装置であって、該携帯端末装置の所有者の生体データを記憶する生体データ記憶手段と、該所有者に係る利用者情報を記憶する利用者情報記憶手段と、利用者情報検査装置から無線で送信される生体データを受信する生体データ受信手段と、前記生体データ記憶手段に記憶された生体データと前記生体データ受信手段によって受信される生体データとを照合する生体データ照合手段と、前記生体データ照合手段によって一致が確認されたときにのみ、前記利用者情報記憶手段に記憶された利用者情報を該利用者情報検査装置に無線で送信する利用者情報送信手段と、を具備する携帯端末装置が提供される。【００１２】
また、本発明によれば、利用者情報を検査する利用者情報検査装置であって、携帯端末装置の所持者が生体をかざすことに応じて生体データを取得する生体データ取得手段と、前記生体データ取得手段によって取得される生体データを近傍の携帯端末装置に無線で送信する生体データ送信手段と、携帯端末装置から無線で送信される利用者情報に基づいて該携帯端末装置の所持者の利用を許可する利用許可手段と、を具備する利用者情報検査装置が提供される。【００１３】
また、本発明によれば、所定のサービスを受けるための利用者情報を保持する携帯端末装置と、該利用者情報を検査する利用者情報検査装置と、を備える利用者判別システムにおける利用者判別方法であって、該利用者情報検査装置が、該携帯端末装置の所持者が生体をかざすことに応じて生体データを取得するステップと、該利用者情報検査装置が、該取得された生体データを近傍の携帯端末装置に無線で送信するステップと、該携帯端末装置が、該利用者情報検査装置から無線で送信される生体データを受信するステップと、該携帯端末装置が、予め記憶された生体データと該受信された生体データとを照合するステップと、該携帯端末装置が、該照合するステップによって一致が確認されたときにのみ、予め記憶された利用者情報を該利用者情報検査装置に無線で送信するステップと、該利用者情報検査装置が、該携帯端末装置から無線で送信された利用者情報に基づいて該携帯端末装置の所持者の利用を許可するステップと、を具備する利用者判別方法が提供される。
【発明の効果】
【００１４】
本発明による利用者判別システムにおいては、所定のサービスを受けるための利用者情報を保持する携帯端末装置を本人以外の者が所持する場合、当該利用者情報が利用者情報検査装置に送信されないため、その所持者がサービスの提供を受けるのを確実に防止することができる。その際、利用者情報検査装置側に生体データという個人情報を登録する必要はない。
【図面の簡単な説明】
【００１５】
【図１】従来の鉄道自動改札システムの構成を示す図である。
【図２】本発明による利用者判別システムの一実施形態としての鉄道自動改札システムの構成を示す図である。
【図３】図２に示される鉄道自動改札システムの動作を示すフローチャートである。
【符号の説明】
【００１６】
１００    携帯電話機
１０２    定期券情報記憶部
１０４    送信部
１２０    自動改札ゲート機
１２２    受信部
１２４    ゲート制御部
２００    携帯電話機
２０２    生体データ記憶部
２０４    定期券情報記憶部
２０６    生体データ受信部
２０８    生体データ照合部
２１０    定期券情報送信部
２５０    自動改札ゲート機
２５２    生体データ取得部
２５４    生体データ送信部
２５６    定期券情報受信部
２５８    ゲート制御部
【発明を実施するための最良の形態】
【００１７】
以下、添付図面を参照して、本発明による利用者判別システムの一実施形態としての鉄道自動改札システムについて説明する。最初に、図１に基づいて、従来の鉄道自動改札システムについて説明する。定期券により自動改札ゲート機を通過しようとする者は、携帯端末装置としての携帯電話機１００を所持する。この携帯電話機１００は、定期券情報を記憶するための定期券情報記憶部１０２と、その定期券情報を送信するための送信部１０４と、を備える。これらの定期券情報記憶部１０２及び送信部１０４は、非接触ＩＣチップ上に構成される。【００１８】
一方、自動改札ゲート機１２０は、定期券情報を受信するための受信部１２２と、定期券情報に基づいてゲートの開閉の制御を行うゲート制御部１２４と、を備える。受信部１２２は、非接触ＩＣチップのリーダ／ライタとして構成される。携帯電話機１００の所持者が携帯電話機１００を受信部１２２にかざしたとき、受信部１２２は、電磁波を発信して携帯電話機１００のＩＣチップを動作させ、携帯電話機１００の送信部１０４との間でデータ通信を行うことで、定期券情報を受信する。【００１９】
しかしながら、前述したように、かかる従来システムでは、他人が携帯電話機１００を使用しても、自動改札ゲート機を通過することができるという問題がある。そこで、本発明は、以下に説明されるように、他人が携帯電話機を不正に使用するのを防止する。【００２０】
図２は、本発明による利用者判別システムの一実施形態としての鉄道自動改札システムの構成を示す図である。同図において、携帯端末装置としての携帯電話機２００は、この電話機の所有者の生体データを記憶する生体データ記憶部２０２と、その所有者に係る利用者情報としての定期券情報を記憶する定期券情報記憶部２０４と、自動改札ゲート機から無線で送信される生体データを受信する生体データ受信部２０６と、生体データ記憶部２０２に記憶された生体データと生体データ受信部２０６によって受信される生体データとを照合する生体データ照合部２０８と、その生体データ照合部２０８によって一致が確認されたときにのみ、定期券情報記憶部２０４に記憶された定期券情報を自動改札ゲート機に無線で送信する定期券情報送信部２１０と、を備える。【００２１】
一方、利用者情報検査装置としての自動改札ゲート機２５０は、携帯電話機の所持者が自己の指紋、静脈等の生体をかざすことに応じてその生体データを取得する生体データ取得部２５２と、その生体データ取得部２５２によって取得される生体データを近傍の携帯電話機に無線で送信する生体データ送信部２５４と、携帯電話機から無線で送信される定期券情報を受信する定期券情報受信部２５６と、その定期券情報受信部２５６によって受信される定期券情報に基づいてゲートの開閉の制御を行うゲート制御部２５８と、を備える。【００２２】
次に、図３のフローチャートを参照して、図２に示される鉄道自動改札システムの動作について説明する。なお、携帯電話機２００においては、予め、電話機所有者の生体データが生体データ記憶部２０２に記憶されるとともに、電話機所有者の定期券情報が定期券情報記憶部２０４に記憶されている。【００２３】
まず、ステップ３０２では、携帯電話機２００を所持することで自動改札ゲート機２５０を通過しようとする者が、自動改札ゲート機２５０の生体データ取得部２５２に、指紋、静脈等の生体をかざす。生体データ取得部２５２は、かざされた生体に関する生体データを取得する。【００２４】
次いで、ステップ３０４において、自動改札ゲート機２５０の生体データ送信部２５４は、生体データ取得部２５２によって取得された生体データを近傍の携帯電話機に送信する。この通信においては、通信距離は数メートルで足り、近距離無線通信が利用される。【００２５】
次いで、ステップ３０６では、送信された生体データが、生体をかざした者によって所持される携帯電話機２００の生体データ受信部２０６にて受信される。【００２６】
次いで、ステップ３０８において、携帯電話機２００の生体データ照合部２０８は、予め生体データ記憶部２０２に記憶されている生体データと、生体データ受信部２０６によって受信された生体データと、を照合することにより、受信された生体データが当該携帯電話機の所有者に係る生体データか否かを判定する。【００２７】
ステップ３０８における照合結果が不一致の場合、すなわち受信された生体データが携帯電話機の所有者に係る生体データでないと判定された場合には、ステップ３１０に進み、処理動作は終了する。【００２８】
一方、ステップ３０８における照合結果が一致の場合、すなわち受信された生体データが携帯電話機の所有者に係る生体データであると判定された場合には、ステップ３１２に進む。ステップ３１２においては、携帯電話機２００の定期券情報送信部２１０が、定期券情報記憶部２０４に記憶された定期券情報を自動改札ゲート機２５０に無線で送信する。その際、携帯電話機２００と自動改札ゲート機２５０との間の通信は、前述のように、近距離無線通信によって実現されるため、利用者は、携帯電話機２００をかばん等から取り出す必要がない。【００２９】
次いで、ステップ３１４において、自動改札ゲート機２５０の定期券情報受信部２５６は、送信された定期券情報を受信する。そして、ステップ３１６では、従来と同様に、ゲート制御部２５８が、受信された定期券情報に基づいてゲートの開閉を制御することとなる。【００３０】
このように、上述した実施形態においては、利用者は、自動改札ゲート機に対して本人の生体をかざすのみでよく、携帯電話機をかばん等から取り出す必要がない。そして、個人認証のための生体データは、自己の携帯電話機にのみ記憶されていればよく、自動改札ゲート機側すなわちシステム本体側に登録される必要がない。【００３１】
以上、鉄道自動改札システムを例にして本発明による利用者判別システムについて述べてきたが、もちろん本発明はこれに限定されるものではない。例えば、チケットにより入場者を制限する改札ゲートにおいても、本発明は適用可能である。その場合には、定期券情報に代えて、チケット情報が、携帯電話機に格納されることとなる。【００３２】
また、銀行などの金融機関に設置されている現金自動支払機（ＣＤ：cashing dispenser）、現金自動預け払い機（ＡＴＭ：automated teller machine）等の現金自動取引装置についても、本発明は適用可能である。その場合には、定期券情報に代えて、キャッシュカード情報が、携帯電話機に格納されることとなる。
【図１】
2007116496.tif 000003
【図２】
2007116496.tif 000004
【図３】
2007116496.tif 000005
【手続補正書】
【提出日】平成20年7月31日(2008.7.31)
【手続補正１】
【補正対象書類名】特許請求の範囲
【補正対象項目名】全文
【補正方法】変更
【補正の内容】
【特許請求の範囲】
【請求項１】
所定のサービスを受けるための利用者情報を保持する携帯端末装置と、該利用者情報を検査する利用者情報検査装置と、を備える利用者判別システムであって、該携帯端末装置が、
該携帯端末装置の所有者の生体データを記憶する生体データ記憶手段と、
該所有者に係る利用者情報を記憶する利用者情報記憶手段と、
該利用者情報検査装置から無線で送信される生体データを受信する生体データ受信手段と、
前記生体データ記憶手段に記憶された生体データと前記生体データ受信手段によって受信される生体データとを照合する生体データ照合手段と、
前記生体データ照合手段によって一致が確認されたときにのみ、前記利用者情報記憶手段に記憶された利用者情報を該利用者情報検査装置に無線で送信する利用者情報送信手段と、
を具備し、該利用者情報検査装置が、
該携帯端末装置の所持者が生体をかざすことに応じて生体データを取得する生体データ取得手段と、
前記生体データ取得手段によって取得される生体データを近傍の携帯端末装置に無線で送信する生体データ送信手段と、
該携帯端末装置から無線で送信される利用者情報に基づいて該携帯端末装置の所持者の利用を許可する利用許可手段と、
を具備する利用者判別システム。
【請求項２】
該携帯端末装置が携帯電話機であり、該利用者情報検査装置が鉄道自動改札ゲート機であり、該利用者情報が定期券情報である、請求項１に記載の利用者判別システム。
【請求項３】
所定のサービスを受けるための利用者情報を保持する携帯端末装置であって、
該携帯端末装置の所有者の生体データを記憶する生体データ記憶手段と、
該所有者に係る利用者情報を記憶する利用者情報記憶手段と、
利用者情報検査装置から無線で送信される生体データを受信する生体データ受信手段と、
前記生体データ記憶手段に記憶された生体データと前記生体データ受信手段によって受信される生体データとを照合する生体データ照合手段と、
前記生体データ照合手段によって一致が確認されたときにのみ、前記利用者情報記憶手段に記憶された利用者情報を該利用者情報検査装置に無線で送信する利用者情報送信手段と、
を具備する携帯端末装置。
【請求項４】
利用者情報を検査する利用者情報検査装置であって、
携帯端末装置の所持者が生体をかざすことに応じて生体データを取得する生体データ取得手段と、
前記生体データ取得手段によって取得される生体データを近傍の携帯端末装置に無線で送信する生体データ送信手段と、
携帯端末装置から無線で送信される利用者情報に基づいて該携帯端末装置の所持者の利用を許可する利用許可手段と、
を具備する利用者情報検査装置。
【請求項５】
所定のサービスを受けるための利用者情報を保持する携帯端末装置と、該利用者情報を検査する利用者情報検査装置と、を備える利用者判別システムにおける利用者判別方法であって、
該利用者情報検査装置が、該携帯端末装置の所持者が生体をかざすことに応じて生体データを取得するステップと、
該利用者情報検査装置が、該取得された生体データを近傍の携帯端末装置に無線で送信するステップと、
該携帯端末装置が、該利用者情報検査装置から無線で送信される生体データを受信するステップと、
該携帯端末装置が、予め記憶された生体データと該受信された生体データとを照合するステップと、
該携帯端末装置が、該照合するステップによって一致が確認されたときにのみ、予め記憶された利用者情報を該利用者情報検査装置に無線で送信するステップと、
該利用者情報検査装置が、該携帯端末装置から無線で送信された利用者情報に基づいて該携帯端末装置の所持者の利用を許可するステップと、
を具備する利用者判別方法。
【国際調査報告】
2007116496.tif 000006
2007116496.tif 000007